(57)【要約】【課題】多孔平面部材による収納装置で、壁面を立体的に利用して、面積当りの収納量を従来より数倍多くする。収納品に適応した金具は必要無くする。収納品を変更したり、収納場所を変えたりするのを容易にする。折りたたみ式にして小型化する。【解決手段】二枚の多孔平面部材を平行且つ垂直，または上開き且つ前傾に設置し、収納品を二つの孔を通して斜めに収納し、壁面に当たって停止する。上記二枚の多孔平面部材は、鉄線などを溶接した金網状枠体や、波線状の針金でできた織編、種々の形の孔を開けた板などで製造する。【選択図】　　　　　　　　図３
2004057699.tif 000002
【特許請求の範囲】
【請求項１】
平面部材に複数の孔を有して略垂直または前傾した第１多孔平面部材と、平面部材に複数の孔を有して略垂直または前傾した前記第１多孔平面部材の後方に配置された第２多孔平面部材とよりなり、該第２多孔平面部材の後方の本装置取付壁面から適当な間隔を持って、設置することを特徴とする収納
装置。
【請求項２】
平面部材に複数の孔を有して略垂直または前傾した第１多孔平面部材と、平面部材に複数の孔を有して略垂直または前傾した前記第１多孔平面部材の後方に配置された第２多孔平面部材と、該第２多孔平面部材の後方に配置された突き当て部材とを有していることを特徴とする収納装置。
【請求項３】
前記第１多孔平面部材及び第２多孔平面部材の少なくとも一方が、網目状枠体であることを特徴とする請求項１または請求項２に記載の収納装置。
【請求項４】
前記第１多孔平面部材及び第２多孔平面部材の少なくとも一方が、平板部材に複数の孔を設けて形成されていることを特徴とする請求項１または請求項２に記載の収納装置。
【請求項５】
請求項１の第１多孔平面部材及び第２多孔平面部材は、本装置の両側面において、回動可能に位置決めされた、上側各１本の横連結部材と、下側各１本の横連結部材と、その中間の各１本の斜め連結部材によって連結し、該斜め連結部材の上端が上側連結部材の壁面側にあるときは上下の連結位置間隔が短くなる方向に連結位置を変更し、上端が第１多孔平面部材側にあるときは長くなる方向に連結位置間隔を変更すると、第１、第２多孔平面部材と壁面は間隔が縮まる方向に変位し、且つ第１多孔平面部材が高く、第２多孔平面部材はそれより低くなり、最終的には装置全体が薄く折りたためることを特徴とする請求項１に記載の収納装置。
【請求項６】
請求項２の第１多孔平面部材、第２多孔平面部材及び突き当て部材は、本装置の両側面において、回動可能に位置決めされた、上側各１本の横連結部材と、下側各１本の横連結部材と、その中間の各１本の斜め連結部材によって連結し、該斜め連結部材の上端が上側連結部材の壁面側にあるときは上下の連結位置間隔が短くなる方向に連結位置を変更し、上端が第１多孔平面部材側にあるときは長くなる方向に連結位置間隔を変更すると、第１、第２多孔平面部材及び突き当て部材は間隔が縮まる方向に変位し、且つ第１多孔平面部材が最も高く、第２多孔平面部材はそれより低くなり、突き当て平面部材はさらに低くなり、
最終的には装置全体が薄く折りたためることを特徴とする請求項２に記載の収納装置。
【請求項７】
前記第一多孔平面部材の孔とこれに対応する第２多孔平面部材の孔とは少なくとも底辺が受け板によって連結されていることを特徴とする請求項１、請求項２、請求項３、請求項４、請求項５、請求項６に記載の収納装置。
【請求項８】
前記下側各１本の横連結部材は上側の各１本の横連結部材より短く、請求項１の第１、第２多孔平面部材や、請求項２の第１、第２多孔平面部材と突き当て部材は上側が開く方向に配置されることを特徴とする請求項１、請求項２、請求項３、請求項４、請求項５、請求項６、に記載の収納装置。
【請求項９】
断面が正方形や矩形などの横に連結した多数の長孔を有し、該長孔は奥に向かって下がる方向に傾斜していて、奥端には収納品を停止させる停止部材が配置されていることを特徴とする収納装置。
【発明の詳細な説明】
【０００１】
【発明の属する技術分野】
本発明は壁面などに取り付けて、主として手持ちの、工具、台所用品、園芸用品などを収納する収納装置に関するものである。
【０００２】
【従来の技術】
従来かかる技術はいくつか実施されているが、全て１枚の多孔板や網目状枠体に専用の金具を取付けそれに工具、家庭用品などを掛け止めするものであった。また商品展示用として１枚の網目状枠体にそれぞれ専用金具を使って商品を展示するものもで、特開昭６０−７２５１０号、特開昭５８−１９５５１２号などに開示されているものであった。
【０００３】
【発明が解決しようとする課題】
上記従来技術では、それぞれ収納する品物に適応した金具が必要であり、収納品を変更したり、場所を変えると、その都度金具を付け替えなければならず、また収納品を金具から取り外したり、取り付けるのが面倒であり、基本的には壁面を平面的に利用しているので、壁面面積当りの収納量が少ないという問題点があった。
【０００４】
本発明は、収納品を収納するための金具を必要とせず、収納品を変更したり、場所を変えたりすることを容易にし、基本的には面積当りの収納量を大巾に増加する収納装置を提供することを目的としている。
【０００５】
本発明は、また収納品の収納、取り出しが容易で、且つ収納品を外部から明確識別できる収納装置を提供することを目的としている。
【０００６】
本発明は、さらに折りたたみ式にして、体積を小さくすることができる収納装置を提供することを目的としている。
【０００７】
【課題を解決するための手段】
上記目的を達成するために、本発明の収納装置においては、平面部材に複数の孔を有して略垂直または前傾した第１多孔平面部材と、平面部材に複数の孔を有して略垂直または前傾した前記第１多孔平面部材の後方に配置された第２多孔平面部材とよりなり、該第２多孔平面部材の後方の本装置取付壁面から適当な間隔を持って設置できるので、本装置２枚の多孔平面部材を斜めに通って格納された収納品が上記壁面に突き当たって停止するものである。
【０００８】
第２の解決手段として上記手段において利用される本装置取付壁面の代わりに、第２多孔平面部材の後方に配置された上記壁面と同等の作用をする垂直な突き当て部材を有しているものである。
【０００９】
上記二つの多孔平面部材は鉄線などを溶接した金網状枠体や、波線状の針金でできた織網など、金網状枠体にすると製造が容易である。
【００１０】
また上記二つの多孔式平面部材は種々の形の孔を開けた板にすると、種々の形状の品物が格納でき、またプレスや成形品で一体的に製造できる。
【００１１】
さらに上記二つの多孔平面部材の対応する二つの孔が少なくとも底辺が受け板によって連結されていると、品物を収納するとき受け板によって案内され収納し易い。また上記孔の底辺は中央がＵ字形に下がった形にすると、収納品が孔の中央に来て収納品全体が略平行に整列されてきれいに収納される。
【００１２】
また上記二つの多孔平面部材、または上記二つの多孔平面部材と突き当て部材は、本装置の両側面において回動可能に位置決めされた、上下各２本の連結部材と中間の各１本の斜め連結部材で連結される。該斜め連結部材の取付位置間隔を変更して、第１多孔平面部材が最も高く、第２多孔平面部材はそれより低く、突き当て部材はさらに低くなるようにして、収納品をを斜めに収納すると、全体が無駄無く利用される。斜め連結部材の一端の取付を外すと装置全体が薄く折りたたまれて、梱包、輸送が容易になる。
【００１３】
【発明の実施の形態】
発明の実施の形態を実施例にもとずき図面を参照して説明する。
図１に示す本発明の第１の実施例の収納装置において、垂直に設けられた前面の金網状枠体１と、これと同じ大きさの後面の金網状枠体２とは、平行になるよう本装置の両側面に配置された上連結部材３、３ａ，下連結部材４，４ａ，及び斜め連結部材５，５ａによって連結されている。上連結部材３、３ａ，及び下連結部材４，４ａ、は後方に伸びて後方の壁面７に当り、壁面からの適当な間隔を保つ。取付金具６によって全体を壁などに懸架する。工具などの収納品は、図１における線Ａ−Ａに沿った切断面の端面図２に示すように、２枚の金網状枠体の網目を斜めに通って、後方の壁面７に当たって止まる。金網状枠体１、２の大きさは、２０ｃｍ×４０ｃｍ位の小さな物から、１ｍ×２ｍ位の大きな物まで、用途に応じて種々作られる。また、同じ寸法の本装置を縦または横に連結すれば任意の大きさの収納装置が形成される。網目の大きさは縦横それぞれ３〜５ｃｍ，金網状枠体１，２と壁面７とのそれぞれの間隔は５〜１０ｃｍ位である。これらの寸法は手持ちの工具や台所用品など収納したい品物の大きさと、長さによって決まるが、一般に手持ちの工具や道具類は手で握つて使うと言う目的から大体上記寸法の金網状枠体の網目と間隔に適応する。収納品が斜めに収納されることから、網目は横より縦を長くすると有効である。上連結部材３、３ａ，下連結部材４，４ａ，斜め連結部材５，５ａは、全部を一枚の板にしたり、その他金網状枠体１、２を所定の位置に固定する手段は種々考えられる。しかし図示のような両側面にＺ形に配置された連結部材で固定する方法が簡便である。二枚の金網状枠体を通らないペンチなどは図２に示すように針金に跨ぐように懸架する。収納品の外に出ている部分の方が重いときは、重い方が下がって、金網状枠体１の網目の上側と、金網状枠体の網の下側に支えられて収納される。同じような形状の金網状枠体一枚でできている市販の金網棚用の付属品の引っ掛けカゴ、フックなどは全て利用できる。その他収納品の形状に応じて収納方法は自由である。
【００１４】
図３に示す本発明の第２の実施例の収納装置においては、垂直に設けられた前面の金網状枠体１と、これと同じ大きさの後面の金網状枠体２と、その後ろの第１の実施例の収納装置における壁面７に相当する突き当て板８とを有する。これらは全て、平行に固定されるよう本装置の両側面にＺ形に配置された上連結部材３ｂ，３ｃ，下連結部材４ｂ，４ｃ，及び斜め連結部材５ｂ，５ｃによって固定されている。取付金具６によって全体を壁などに懸架する。工具などの収納品は図３における線Ｂ−Ｂに沿った切断面の端面図４に示すように、２枚の金網状枠体の網目を斜めに通って、突き当て板８に当たって止まる。突き当て板８に収納品の先端を受け止める作用をするストッパー９があると収納品が滑り落ちるのを防ぐことができる。金網状枠体の大きさ、網目の寸法、金網状枠体１、２、や突き当て板８の間隔などは第１の実施例と同様である。
【００１５】
図１、図３に示す本発明の収納装置において、上連結部材３、３ａ，３ｂ，３ｃ，下連結部材４、４ａ，４ｂ，４ｃ，をそれぞれ対応する金網状枠体１、２や突き当て板８と回転可能に位置決めする。斜め連結部材５、５ａ、５ｂ，５ｃ，をそれぞれ対応する金網状枠体２や突き当て板８と上端のみ回転可能に位置決めし、下端を図５に示すようにフック式にしたり、または図６に示すように鍵穴式にしておいて、フック１０をはずしたり、鍵穴１１をはずしたりする。このように構成することにより、本発明の第１の実施例の収納装置は図７に示すよう、第２の実施例の収納装置は図８に示すように個々の部材が矢印のように回転して装置全体は薄く折りたたまれる。上記下端の着脱方法はボルトその他種々ある。
【００１６】
金網状枠体の網目は全部が同一である必要はなく、図９に示す本発明の第３の実施例の収納装置の金網状枠体１ａのように一部縦または横線が１ピッチ分無くすることで、少し大きな物を収納することができる。このとき金網状枠体２ａも同じように１ピッチ分無くする。金網状枠体の横線は網目の中央で下に下がったＵ字型にすると収納品が網目の中央に落ち着いて収納状態が美しくなる。
【００１７】
収納品は二枚の金網状枠体に斜めに通って収納されるので、金網状枠体１，１ａを一番高くし、金網状枠体２、２ａをそれより少し低くし、突き当て板８はさらに低くすると全体が無駄無く利用できる。それを可能にする手段が図１０に示す本発明の第４の実施例の収納装置である。斜め連結部材５ｇ、５ｈにはフック１０が３ケ所ありその掛ける位置によって図１１に示すように各種角度に設定でき、最終的には格納するための最も薄い状態になる。斜め連結部材を鎖にして一端を固定し、他端の固定は鎖の輪のどれかにはめるようにすると上記角度の設定の自由度が増し、且つ余った鎖は下向きに垂れと整理できる。斜め連結部材は上端を図１０と反対に金網状枠体１、１ａ、側にしてもよいが、このときは上記目的のためには斜め連結部材は長くしなければならない。
【００１８】
図１２で示される本発明の第５の実施例の収納装置では、第１多孔平面部材１ｂは一枚の板で、各種形状の孔１２が設けられている。いろいろな形状や大きさの孔を設けることによって、各種形状の収納品に対応できる。このとき第２多孔平面部材２ｂにはこれと対応する形状の孔１３を開ける。
【００１９】
図１３で示される実施例では、金網状枠体１の網目の下側と、金網状枠体２の網目の下側は一枚の受け板１２で連結されている。こうすることで金網状枠体１の網目に入れた収納品は受け板１２の上を滑って金網状枠体２の網目を通過し、格納が容易である。
【００２０】
図１４、１５、に示す本発明の第６の実施例の収納装置では、上記受け板１２は下側だけでなく、上下、左右の四方にあって、金網状枠体１と金網状枠体２とを一体的にしたものである。断面が正方形や矩形の連続した多数の長孔があり、この孔は奥に向かって下がる方向に傾斜していて、その先には収納品を停止させる突き当て面８ａがある。上下または左右の隔壁を取り外し可能にすると収納品に合わせて長孔の断面形状の大きさを変更できる。
【００２１】
本発明の第１、第２、第３、第４、第５の実施例の収納装置は全て前面の金網状枠体とその後面の金網状枠体及び突き当て板は全て平行であるが、図１６に示す本発明の第７の実施例の収納装置では、上の連結部材３ｄ，３ｅ　　より下の連結部材４ｅ，４ｆを短くすると前面の金網状枠体１ｃが前傾し、後面の金網状枠体２ｃはその略半分前傾する。さらに斜め連結部材５ｉ，５ｊを短くすると前面の金網状枠体１ｃが最も高く、後面の金網状枠体２ｃは少し高くなる。こうして突き当て板８が垂直になるように壁面などに設置すると、図１７に示すように大きな物は上の方に、小さな物は下の方に、それぞれ斜めに収納できて全体の収納品が見易くなる。下の連結部材４ｅの連結位置を可変にすると任意の前傾角度に設定できる。
【発明の効果】
本発明は、以上説明したように構成されているので、以下に記載されるような効果を奏する。
【００２２】
従来同種の収納装置は壁面を平面的に使用しているが、本発明では壁面を立体的に使用しているので、同一面積当りの収納量が数倍多くなる。使用者は左右移動しないで、定位置にいて各種収納品を確認して取り出したり、収納して収納状態を確認できる。
【００２３】
収納のための特別な金具を必要としないので、収納品や収納場所の変更や、収納品の取り出し、収納が容易である。
【００２４】
構造簡単で、コストが安い。
【００２５】
従来の一枚の金網状枠体でできた同種装置用の収納金具などが利用できる。
【００２６】
本収納装置全体を折りたたみ式にできるので体積が小さくなり、梱包、貯蔵、輸送の費用が節約できる。
【００２７】
上の連結部材より下の連結部材を短くして金網状枠体が上に開く形にすると大きく長いものは上に、小さく短いものは下に収納して全体が見易くなる。
【図面の簡単な説明】
【図１】本発明の第１の実施例の収納装置の斜視図である。
【図２】本発明の第１の実施例の収納装置の図１における線Ａ−Ａに沿った切断面の端面図で、工具などを収納した状態を示す図である。
【図３】本発明の第２の実施例の収納装置の斜視図である。
【図４】本発明の第２の実施例の収納装置の図３における線Ｂ−Ｂに沿った切断面の端面図で、工具などを収納した状態を示す図である。
【図５】斜め結合部材の下端をフック状にしたものを示す図である。
【図６】斜め結合部材の下端を鍵孔式にしたものを示す図である
【図７】本発明の第１の実施例の収納装置の折りたたみ前後の状態を示す側面図である
【図８】本発明の第２の実施例の収納装置の折りたたみ前後の状態を示す側面図である
【図９】本発明の第３の実施例の収納装置の斜視図である。
【図１０】本発明の第４の実施例の収納装置の斜視図である。
【図１１】本発明の第４の実施例の収納装置が各種角度に設定できる状態を示す側面図である。
【図１２】本発明の第５の実施例の収納装置の斜視図である。
【図１３】金網状枠体１、２の対応する網目の底辺が受け板によって連結されている状態を示切断面の端面図である。
【図１４】本発明の第６の実施例の収納装置の斜視図である。
【図１５】本発明の第６の実施例の収納装置の図１４における線Ｃ−Ｃに沿った切断面の端面図で、工具などが収納されている状態を示す図である。
【図１６】本発明の第７の実施例の収納装置の斜視図である。
【図１７】本発明の第７の実施例の収納装置の図１６における線Ｄ−Ｄに沿った切断面の端面図で、工具などを収納した状態を示す図である。
【符号の説明】
１　　　　　　　　　　　　　　　　　　　　　　　　前面の金網状枠体
１ａ　　　　　　　　　　　　　　　　　　　　　　一部縦または横線を１ピッチ分無くした前面の金網状枠体
１ｂ　　　　　　　　　　　　　　　　　　　　　　１枚の板でできた第１多孔平面部材
１ｃ　　　　　　　　　　　　　　　　　　　　　　前傾した前面の金網状枠体
２　　　　　　　　　　　　　　　　　　　　　　　　後面の金網状枠体
２ａ　　　　　　　　　　　　　　　　　　　　　　一部縦または横線を１ピッチ分無くした後面の金網状枠体
２ｂ　　　　　　　　　　　　　　　　　　　　　　１枚の板でできた第２多孔平面部材
２ｃ　　　　　　　　　　　　　　　　　　　　　　前傾した後面の金網状枠体
３，３ａ，３ｂ，３ｃ，　　　　上連結部材
３ｄ，３ｅ
４，４ａ，４ｂ，４ｃ，　　　　下連結部材
４ｄ，４ｅ，４ｆ
５，５ａ，５ｂ，５ｃ，　　　　斜め連結部材
５ｄ，５ｅ，５ｆ，５ｇ，
５ｈ，５ｉ，５ｊ
６　　　　　　　　　　　　　　　　　　　　　　　　固定金具
７　　　　　　　　　　　　　　　　　　　　　　　　後方の壁面
８，８ａ　　　　　　　　　　　　　　　　　　突き当て板
９　　　　　　　　　　　　　　　　　　　　　　　　ストッパー
１０　　　　　　　　　　　　　　　　　　　　　　　フック
１１　　　　　　　　　　　　　　　　　　　　　　　鍵孔
１２　　　　　　　　　　　　　　　　　　　　　　　各種形状の孔
１３　　　　　　　　　　　　　　　　　　　　　　　１０に対応する孔
【図１】
2004057699.tif 000003
【図２】
2004057699.tif 000004
【図３】
2004057699.tif 000005
【図４】
2004057699.tif 000006
【図５】
2004057699.tif 000007
【図６】
2004057699.tif 000008
【図７】
2004057699.tif 000009
【図８】
2004057699.tif 000010
【図９】
2004057699.tif 000011
【図１０】
2004057699.tif 000012
【図１１】
2004057699.tif 000013
【図１２】
2004057699.tif 000014
【図１３】
2004057699.tif 000015
【図１４】
2004057699.tif 000016
【図１５】
2004057699.tif 000017
【図１６】
2004057699.tif 000018
【図１７】
2004057699.tif 000019